(57)【要約】【課題】収容器とカバー容器との着脱が容易であるとともに、複数種類の収容器に対応することのできる汎用性の高いカバー容器およびこのカバー容器を用いて収容器をカバーした装飾容器ユニットを提供すること。【解決手段】液体や粉状体などを収容するための収容器をカバーするカバー容器であって、前記カバー容器は、高透明性合成樹脂からなる少なくとも２つ以上のカバー嵌合部材同士を着脱自在に嵌合させることにより、前記収容器をカバーするよう構成されている。【選択図】図１
2007302316.tif 000002
【特許請求の範囲】
【請求項１】
液体や粉状体などを収容するための収容器をカバーするカバー容器であって、
前記カバー容器は、
高透明性合成樹脂からなる少なくとも２つ以上のカバー嵌合部材同士を着脱自在に嵌合させることにより、前記収容器をカバーするよう構成されていることを特徴とするカバー容器。
【請求項２】
前記カバー容器がカバーする前記収容器は、
液体や粉状体などの内容物を収容する収容部と、
前記収容部内の内容物を出し入れする口部と、
を少なくとも備えることを特徴とする請求項１に記載のカバー容器。
【請求項３】
前記収容器の前記口部は、
前記収容部の底部とは逆側の端部に設けられていることを特徴とする請求項２に記載のカバー容器。
【請求項４】
前記カバー嵌合部材は、
天面に前記収容器の前記口部を突出可能とする開口部を有する有天筒状部材と、
前記収容器の前記底部を保持する底栓部材と、
から構成されていることを特徴とする請求項１から３のいずれかに記載のカバー容器。
【請求項５】
前記有天筒状部材と前記底栓部材は、
前記有天筒状部材の内周面の下端部に設けられた凸部または凹部と、
前記底栓部材の外周面の上端部に設けられた凹部または凸部と、が嵌合するように構成されていることを特徴とする請求項４に記載のカバー容器。
【請求項６】
前記有天筒状部材と前記底栓部材は、
前記底栓部材の外周面と、
前記有天筒状部材の内周面とが、螺合するように構成されていることを特徴とする請求項４に記載のカバー容器。
【請求項７】
前記カバー嵌合部材は、
前記収容器が立設状態において、前記口部を中心として略水平にそれぞれ分割される略コ字状の第１横嵌合部材と、第２横嵌合部材とから構成され、
前記収容器をカバーする際に、
前記第１横嵌合部材と前記第２横嵌合部材は、それぞれ前記収容器の前記口部と前記底部とを保持するように構成されていることを特徴とする請求項１から３のいずれかに記載のカバー容器。
【請求項８】
前記第１横嵌合部材と前記第２横嵌合部材は、
前記第１横嵌合部材と前記第２横嵌合部材の嵌合面上にそれぞれ設けられた凹部と凸部とが、嵌合するよう構成されていることを特徴とする請求項７に記載のカバー容器。
【請求項９】
前記カバー嵌合部材は、
前記収容器が立設状態において、前記収容部を中心として縦方向にそれぞれ分割され、天面に前記収容器の前記口部を突出可能とする開口部を有する第１縦嵌合部材と、
前記収容器の前記底部を保持する第２縦嵌合部材と、から構成されていることを特徴とする請求項１から３のいずれかに記載のカバー容器。
【請求項１０】
前記第１縦嵌合部材と前記第２縦嵌合部材は、
前記収容器をカバーする際に、
前記第１縦嵌合部材の内周面の下端部に設けられた凸部または凹部と、
前記第２縦嵌合部材の外周面の上端部に設けられた凹部または凸部と、が嵌合するように構成されていることを特徴とする請求項９に記載のカバー容器。
【請求項１１】
前記第１縦嵌合部材と前記第２縦嵌合部材は、
前記収容器をカバーする際に、
前記第１縦嵌合部材の外周面と、
前記第２縦嵌合部材の内周面とが、螺合するように構成されていることを特徴とする請求項９に記載のカバー容器。
【請求項１２】
立設状態の前記収容器の前記収容部を前記カバー嵌合部材でカバーした際において、
前記カバー容器の高さが、
前記収容器の縦方向の移動を規制することのできる高さに規定されていることを特徴とする請求項１から１１のいずれかに記載のカバー容器。
【請求項１３】
前記カバー容器の外周面上に装飾凹凸部が形成されていることを特徴とする請求項１から１２のいずれかに記載のカバー容器。
【請求項１４】
前記カバー容器の内周面上に装飾凹凸部が形成されていることを特徴とする請求項１から１３のいずれかに記載のカバー容器。
【請求項１５】
立設状態の前記収容器の前記収容部を前記カバー嵌合部材でカバーした際において、
前記収容器の外周面と前記カバー容器の内周面とが、密着しないように構成されていることを特徴とする請求項１から１４のいずれかに記載のカバー容器。
【請求項１６】
立設状態の前記収容器の前記収容部を前記カバー嵌合部材でカバーした際において、
前記収容器の外周面と、前記カバー容器の内周面とが、線接触するように構成されていることを特徴とする請求項１から１４のいずれかに記載のカバー容器。
【請求項１７】
前記高透明性合成樹脂は、全光線透過率８０％から１００％であることを特徴とする請求項１から１６のいずれかに記載のカバー容器。
【請求項１８】
前記高透明性合成樹脂が、有色または無色のいずれであることを特徴とする請求項１から１７のいずれかに記載のカバー容器。
【請求項１９】
前記高透明性合成樹脂に、光反射粉が分散されていることを特徴とする請求項１から１８のいずれかに記載のカバー容器。
【請求項２０】
請求項１から１９に記載のカバー容器を、収容器にカバーしてなることを特徴とする容器ユニット。
【請求項２１】
収容器が有色に着色されていることを特徴とする請求項２０に記載の容器ユニット。
【発明の詳細な説明】
【技術分野】
【０００１】
本発明は、化粧品、薬剤、飲料などを収容する収容器をカバーするカバー容器およびこのカバー容器を用いて収容器をカバーした容器ユニットに関する。
【背景技術】
【０００２】
従来より、化粧品、薬剤、飲料などを収容する収容器として、耐腐食性、気密性に優れた蓋付きの収容器が広く使用されている。
これらの収容器は、ガラスや合成樹脂からなるのが一般的であるが、特にガラス製の収容器については、搬送中の衝撃や使用中の落下などによって、容易に破損してしまう場合があった。また収容器は、簡単な筒状の形状から成ることが多いため加飾性は乏しく、さらにその表面に文字や図形などのデザインを直接オフセット印刷することは困難であるため、予め印刷がなされたラベルを用意し、収容器の表面に接着させてデザインを施すことが行われている。
【０００３】
このような上記の問題点を解決するため特許文献１では、収容器の外面にカバー容器を装着することによって耐衝撃性を高めるとともに、カバー容器の表面に文字や図形などのデザインを直接オフセット印刷して加飾性を高めた装飾容器ユニットが開示されている。
【０００４】
図１５に示したように、このような装飾容器ユニット１００は、蓋１３０を口部１１４に装着するようになっているガラス製の収容器１１０と、周壁１２２と空気孔１２４を設けた底壁１２６とから成るとともに、上端を開放した形状自己保持性を有する合成樹脂製のカバー容器１２０を用意し、図１６に示したように、カバー容器１２０を収容器１１０の胴部１１２に密着させて挿抜可能に装着することによって、収容器１１０の保護がなされるようになっている。
【０００５】
このような装飾容器ユニット１００は、カバー容器１２０の底壁１２６に設けられた空気孔１２４を外側から剥離可能なシール（図示せず）で閉塞し、カバー容器１２０内側へ外部空気が侵入しないようにすることにより、カバー容器１２０が収容器１１０から抜け出すことなく取り扱うことができる。さらに、収容器１１０よりカバー容器１２０を取り外す際には、カバー容器１２０の底壁１２６に貼着されたシール（図示せず）を剥離してカバー容器１２０内外に空気を流通させることによって、取り外しが容易にできる。
【０００６】
また、カバー容器１２０にオフセット印刷によって文字や図形を付与して加飾性を高めることができるようになっている。
【特許文献１】特開２００５−１７８８３５号公報
【発明の開示】
【発明が解決しようとする課題】
【０００７】
しかしながらこのような装飾容器ユニット１００では、カバー容器１２０を収容器１１０より取り外す際にシール（図示せず）を剥離して空気孔１２４を開いても、収容器１１０の胴部１１２と密着しているため、取り外しにある程度の時間を要することになっていた。このようにカバー容器１２０と収容器１１０との着脱に時間を要すると、これらの製造・廃棄・リサイクル時の手間がかかりコストが嵩むこととなる。
【０００８】
またこのようなカバー容器１２０は、収容器１１０とカバー容器１２０の胴部１１２とが密着することによって、カバー容器１２０が収容器１１０から抜け出すことがないようになっているため、収容器１１０の寸法にあわせてカバー容器１２０を製造する必要があ
り、汎用性に乏しいものである。
【０００９】
さらに、収容器１１０とカバー容器１２０とは、カバー容器１２０の開口部に収容器１１０を挿入しているのみであるため、例えば収容器１１０の胴部１１２とカバー容器１２０との間に水滴が付着したり、結露が生じた場合には、これらの密着力は弱くなり、使用時に収容器１１０がカバー容器１２０から抜け落ちる危険性がある。
【００１０】
また、収容器１１０とカバー容器１２０とは、互いに円筒形状からなるため、カバー容器１２０を用いても形状の自由度が低く、充分に加飾性を向上させることができないものである。
【００１１】
本発明は、このような現状に鑑み、収容器とカバー容器との着脱が容易であるとともに、複数種類の収容器に対応することのできる汎用性の高いカバー容器およびこのカバー容器を用いて収容器をカバーした装飾容器ユニットを提供することを目的とする。
【００１２】
また、使用時に収容器がカバー容器から抜け落ちることのないカバー容器およびこのカバー容器を用いて収容器をカバーした装飾容器ユニットを提供することを目的とする。
さらに、デザインの自由度が極めて高く加飾性に優れたカバー容器およびこのカバー容器を用いて収容器をカバーした装飾容器ユニットを提供することを目的とする。
【課題を解決するための手段】
【００１３】
本発明は、前述したような従来技術における課題及び目的を達成するために発明されたものであって、本発明のカバー容器は、
液体や粉状体などを収容するための収容器をカバーするカバー容器であって、
前記カバー容器は、
高透明性合成樹脂からなる少なくとも２つ以上のカバー嵌合部材同士を着脱自在に嵌合させることにより、前記収容器をカバーするよう構成されていることを特徴とする。
【００１４】
このように構成することによって、容易に収容器とカバー容器との着脱を行うことができる。さらに、使用時においてこれらを逆向きにしたとしても、収容器全体をカバー容器によってカバーしているため、収容器がカバー容器から外れてしまうことがない。
【００１５】
さらに、２つ以上のカバー嵌合部材を嵌合させて収容器をカバーすることができるため、デザインの自由度が広がり、加飾性を向上させることができる。
また、本発明のカバー容器は、
前記カバー容器がカバーする前記収容器は、
液体や粉状体などの内容物を収容する収容部と、
前記収容部内の内容物を出し入れする口部と、
を少なくとも備えることを特徴とする。
【００１６】
このような形状を有する収容器であれば、本発明のカバー容器を使用することによって確実に収容器を保護することができるとともにカバー容器の着脱が容易であり、且つ加飾性を向上させることができる。
【００１７】
また、本発明のカバー容器は、
前記収容器の前記口部は、
前記収容部の底部とは逆側の端部に設けられていることを特徴とする。
【００１８】
このような形状を有する収容器であれば、本発明のカバー容器を使用することによって確実に収容器を保護することができるとともにカバー容器の着脱が容易であり、且つ加飾
性を向上させることができる。
【００１９】
また、本発明のカバー容器は、
前記カバー嵌合部材は、
天面に前記収容器の前記口部を突出可能とする開口部を有する有天筒状部材と、
前記収容器の前記底部を保持する底栓部材と、
から構成されていることを特徴とする。
【００２０】
このように構成することによって、収容器の口部と底部とを、カバー容器の有天筒状部材と底栓部材とで確実に保持することができるとともに、収容器とカバー容器との着脱を容易に行うことができる。
【００２１】
さらにデザインの自由度が広がり、加飾性を向上させることができる。
また、本発明のカバー容器は、
前記有天筒状部材と前記底栓部材は、
前記有天筒状部材の内周面の下端部に設けられた凸部または凹部と、
前記底栓部材の外周面の上端部に設けられた凹部または凸部と、が嵌合するように構成されていることを特徴とする。
【００２２】
このように有天筒状部材と底栓部材に凸部と凹部とが設けられていれば、使用時に収容器とカバー容器とが不用意に外れてしまうことはなく、収容器よりカバー容器を取り外す際には、簡単に取り外しを行うことができる。
【００２３】
また、本発明のカバー容器は、
前記有天筒状部材と前記底栓部材は、
前記底栓部材の外周面と、
前記有天筒状部材の内周面とが、螺合するように構成されていることを特徴とする。
【００２４】
このように有天筒状部材と底栓部材とが螺合するように構成されていれば、有天筒状部材から底栓部材が不用意に外れてしまうことがなく、また収容器よりカバー容器を取り外す際には、底栓部材を回転させるだけで、簡単に収容器を取り外すことができる。なお、この場合には、底栓部材の外周面と有天筒状部材の内周面とは円形であることが好ましい。
【００２５】
また、本発明のカバー容器は、
前記カバー嵌合部材は、
前記収容器が立設状態において、前記口部を中心として略水平にそれぞれ分割される略コ字状の第１横嵌合部材と、第２横嵌合部材とから構成され、
前記収容器をカバーする際に、
前記第１横嵌合部材と前記第２横嵌合部材は、それぞれ前記収容器の前記口部と前記底部とを保持するように構成されていることを特徴とする。
【００２６】
このように第１横嵌合部材と第２横嵌合部材で収容器の口部と底部とを保持すれば、第１横嵌合部材と第２横嵌合部材が略コ字状であるため、強固に収容器の口部と底部とを保持することができる。
【００２７】
また、本発明のカバー容器は、
前記第１横嵌合部材と前記第２横嵌合部材が、
前記第１横嵌合部材と前記第２横嵌合部材の嵌合面上にそれぞれ設けられた凹部と凸部とが、嵌合するよう構成されていることを特徴とする。
【００２８】
このように第１横嵌合部材と第２横嵌合部材に凸部と凹部とが設けられていれば、使用時に第１横嵌合部材と前記第２横嵌合部材とが不用意に外れてしまうことはなく、収容器よりカバー容器を取り外す際には、簡単に取り外すことができる。
【００２９】
また、本発明のカバー容器は、
前記カバー嵌合部材が、
前記収容器が立設状態において、前記収容部を中心として縦方向にそれぞれ分割され、天面に前記収容器の前記口部を突出可能とする開口部を有する第１縦嵌合部材と、
前記収容器の前記底部を保持する第２縦嵌合部材と、から構成されていることを特徴とする。
【００３０】
このように第１縦嵌合部材と第２縦嵌合部材とで、収容器の口部と底部とを保持すれば、使用時においてこれらを逆向きにしても、収容器全体を第１縦嵌合部材と第２縦嵌合部材とでカバーしているため、収容器が第１縦嵌合部材と第２縦嵌合部材から外れてしまうことがなく安全である。
【００３１】
また、本発明のカバー容器は、
前記第１縦嵌合部材と前記第２縦嵌合部材が、
前記収容器をカバーする際に、
前記第１縦嵌合部材の内周面の下端部に設けられた凸部または凹部と、
前記第２縦嵌合部材の外周面の上端部に設けられた凹部または凸部と、が嵌合するように構成されていることを特徴とする。
【００３２】
このように第１縦嵌合部材と第２縦嵌合部材に凸部と凹部とが設けられていれば、使用時に第１縦嵌合部材と第２縦嵌合部材とが不用意に外れてしまうことはなく、収容器よりカバー容器を取り外す際には、簡単に取り外すことができる。
【００３３】
また、本発明のカバー容器は、
前記第１縦嵌合部材と前記第２縦嵌合部材が、
前記収容器をカバーする際に、
前記第１縦嵌合部材の外周面と、
前記第２縦嵌合部材の内周面とが、螺合するように構成されていることを特徴とする。
【００３４】
このように第１縦嵌合部材と第２縦嵌合部材とが螺合するように構成されていれば、これらが不用意に外れてしまうことはなく、また収容器よりカバー容器を取り外す際には、第２縦嵌合部材を回転させるだけで、簡単に取り外すことができる。なお、この場合には、第１縦嵌合部材と第２縦嵌合部材の横断面形状が円形であることが好ましい。
【００３５】
また、本発明のカバー容器は、
立設状態の前記収容器の前記収容部を前記カバー嵌合部材でカバーした際において、
前記カバー容器の高さが、
前記収容器の縦方向の移動を規制することのできる高さに規定されていることを特徴とする。
【００３６】
このように、収容器の高さにあわせてカバー容器の高さを規定すれば、カバー容器内で収容器が縦方向にがたつくことを確実に防止することができる。
また、本発明のカバー容器は、
前記カバー容器の外周面上に装飾凹凸部が形成されていることを特徴とする。
【００３７】
このように構成すれば、デザイン性が極めて良好となるだけでなく、高級感を醸し出すことができる。
また、本発明のカバー容器は、
前記カバー容器の内周面上に装飾凹凸部が形成されていることを特徴とする。
【００３８】
このように構成すれば、デザイン性が極めて良好となるだけでなく、高級感を醸し出すことができる。
また、本発明のカバー容器は、
立設状態の前記収容器の前記収容部を前記カバー嵌合部材でカバーした際において、
前記収容器の外周面と前記カバー容器の内周面とが、密着しないように構成されていることを特徴とする。
【００３９】
このように構成すれば、カバー容器を収容器から取り外す際においても、容易に取り外し作業を行うことができる。
また、本発明のカバー容器は、
立設状態の前記収容器の前記収容部を前記カバー嵌合部材でカバーした際において、
前記収容器の外周面と、前記カバー容器の内周面とが、線接触するように構成されていることを特徴とする。
【００４０】
このように構成すれば、収容器のカバー容器内でのがたつきを確実に防止するだけでなく、収容器とカバー容器との接触が僅かであるため、カバー容器を収容器から取り外す際においても、取り外しの作業に長時間を要することなく容易に行うことができる。
【００４１】
また、本発明のカバー容器は、
前記高透明性合成樹脂は、全光線透過率８０％から１００％であることを特徴とする。
このような高透過性合成樹脂を使用すれば、極めて透明性の高いカバー容器を製造することができ、審美性に優れ高級感が醸し出されたカバー容器とすることができる。
【００４２】
また、本発明のカバー容器は、
前記高透明性合成樹脂が、有色または無色のいずれであることを特徴とする。
このように有色または無色の高透過性合成樹脂を用いれば、様々な色から成るカバー容器を製造することができるため、審美性に優れ高級感が醸し出されたカバー容器を提供することができる。
【００４３】
また、本発明のカバー容器は、
前記高透明性合成樹脂に、光反射粉が分散されていることを特徴とする。
このように光反射粉が分散された高透過性合成樹脂を使用すれば、光反射粉に光が反射して輝くため、審美性に優れ高級感が醸し出されたカバー容器とすることができる。
【００４４】
また、本発明の容器ユニットは、
上記に記載のカバー容器を、収容器にカバーしてなることを特徴とする。
このようなカバー容器を収容器にカバーして装飾容器ユニットを構成すれば、審美性に優れ高級感が醸し出すことができる。
【００４５】
また、多種多様なデザインとすることができるため、デザインの自由度が広がり、美しい装飾容器ユニットとすることができる。
さらに、確実に収容器をカバー容器で保護することができる。
【発明の効果】
【００４６】
本発明によれば、収容器とカバー容器との着脱が容易であるとともに、複数種類の収容
器に対応することのできる汎用性の高いカバー容器およびこのカバー容器を用いて収容器をカバーした装飾容器ユニットを提供することができる。
【００４７】
また、使用時に収容器がカバー容器から抜け落ちることのないカバー容器およびこのカバー容器を用いて収容器をカバーした装飾容器ユニットを提供することができる。
さらに、デザインの自由度が極めて高く加飾性に優れたカバー容器およびこのカバー容器を用いて収容器をカバーした装飾容器ユニットを提供することができる。
【発明を実施するための最良の形態】
【００４８】
以下、本発明の実施の形態（実施例）を図面に基づいてより詳細に説明する。
図１から図３は本発明の第１の実施例であるカバー容器およびのカバー容器を用いて収容器をカバーした装飾容器ユニットであり、図１はカバー容器を収容器にカバーする状況を示した分解斜視図、図２はカバー容器を収容器にカバーした状況を示した斜視図、図３はカバー容器を収容器にカバーした状況の縦断面図である。
【００４９】
本発明のカバー容器およびこのカバー容器を用いて収容器をカバーした装飾容器ユニットは、例えば化粧品、薬剤、飲料などを収容する収容器をカバーして、耐衝撃性を向上させ、また加飾性を向上させるためのものである。
【００５０】
図１に示したように、本発明の第１の実施例である装飾容器ユニット１０ａは、収容器２０と、収容器２０の口部２４側に位置する有天筒状部材３０と、収容器２０の底部２６側に位置する底栓部材４０と、から構成されている。
【００５１】
収容器２０は、液体や粉状体を収容する収容部２２と、収容部２２の底部２６とは逆側の端部に収容部２２内の液体や粉状体を出し入れする口部２４が設けられている。このような収容器２０を有天筒状部材３０の内側に収容し、底栓部材４０を収容器２０の底部２６側から有天筒状部材３０に嵌合させると、図２に示したような、収容器２０が有天筒状部材３０と底栓部材４０とで覆われた状態とすることができる。
【００５２】
このような装飾容器ユニット１０ａは、図３に示したように、収容器２０の口部２４が、有天筒状部材３０の天面３１に設けられた開口部３４より突出するようになっており、収容器２０の収容部２２と口部２４との間のフランジ部２７を、有天筒状部材３０の天面３１で保持するようになっている。
【００５３】
一方、収容器２０の底部２６は、底栓部材４０の底面４４によって保持されるようになっている。
これによって、有天筒状部材３０の天面３１と底栓部材４０の底面４４との間に、収容器２０の収容部２２が納まることとなる。収容器２０の収容部２２の高さＬ１に対して、有天筒状部材３０の天面３１から底栓部材４０の底面４４までの高さＬ２は、若干大きめに設定されることが好ましく、収容器２０の収容部２２の高さＬ１を１００としたときに、有天筒状部材３０の天面３１から底栓部材４０の底面４４までの高さＬ２は１０５から１１０までの高さとすることが好ましい。
【００５４】
本発明においてカバー容器、例えば上記のような有天筒状部材３０と底栓部材４０は、外側から収容器２０が良好に見えるよう、その材料として高透明性合成樹脂を用いることが好ましい。
【００５５】
このような高透明性合成樹脂としては、全光線透過率８０％から１００％であることが好ましく、より好ましくは全光線透過率８５％から１００％である。
上記の全光線透過率の範囲を満たす高透明性合成樹脂の材質としては、例えばアイオノ
マー樹脂、アクリル樹脂、ポリエステル樹脂、スチレン系樹脂（スチレン・アクリロニトリル共重合体樹脂、スチレン・メチルメタクリレート共重合体樹脂等）を用いることができ、好ましくはアイオノマー樹脂、ポリエステル樹脂、より好ましくは、アイオノマー樹脂を用いることができる。これらの材質は、透明性、耐衝撃性、スナップフィット性に優れており、有天筒状部材３０、底栓部材４０の材料として好適である。
【００５６】
アイオノマー樹脂としては、例えば不飽和カルボン酸含量が１〜４０重量％のエチレン・不飽和カルボン酸共重合体のカルボキシル基の少なくとも一部、通常０％を超え、かつ９０％以下を金属イオンで中和したものを使用することが出来る。アイオノマー樹脂のベースポリマーとなるエチレン・不飽和カルボン酸共重合体は、エチレンと不飽和カルボン酸，さらに任意に他の極性モノマーを共重合して得られるものである。ここに不飽和カルボン酸としては、アクリル酸、メタクリル酸、フマル酸、マレイン酸、無水マレイン酸、マレイン酸モノメチル、マレイン酸モノエチルなどを例示することができるが、とくにメタクリル酸が好ましい。また共重合成分となりうる極性モノマーとしては、酢酸ビニル、ピロピオン酸ビニルのようなビニルエステル、アクリル酸メチル、アクリル酸エチル、アクリル酸イソプロピル、アクリル酸ｎ−ブチル、アクリル酸イソブチル、アクリル酸ｎ−ヘキシル、アクリル酸イソオクチル、メタクリル酸メチル、マレイン酸ジメチル、マレイン酸ジエチルのような不飽和カルボン酸エステル、一酸化炭素などであり、とくに不飽和カルボン酸エステルは好適な共重合成分である。また金属イオンとしては１〜３価の原子価を有する金属イオン、特に元素周期律表におけるＩ、II、III、IV ＡおよびVII族の１
〜３価の原子価を有する金属イオンであり、具体的には、Ｎａ+、Ｋ+、Ｌｉ+、Ｃｓ+、Ａｇ+、Ｈｇ+、Ｃｕ+、Ｂｅ++、Ｍｇ++、Ｃａ++、Ｓｒ++、Ｂａ++、Ｃｕ++、Ｃｄ++、Ｈｇ++、Ｓｎ++、Ｐｂ++、Ｆｅ++、Ｃｏ++、Ｎｉ++、Ｚｎ++、Ａｌ+++、Ｓｃ+++、Ｆｅ+++、Ｙ+++などが挙げられる。
【００５７】
またカバー容器に用いる高透明性合成樹脂は、有色であっても無色であっても良く、さらに有天筒状部材３０と底栓部材４０とで色を変えることもできる。有色の場合において、例えばアイオノマーにＨｅｌｉｏｇｅｎ  Ｂｌｕｅ  Ｋ６９１１Ｄ（ＢＡＳＦ社製）を含有させた青色の高透明性合成樹脂を用いて成形を行えば、青色の有天筒状部材３０と底栓部材４０とすることができる。
【００５８】
このような高透明性合成樹脂を使用することによって収容器２０の表面に文字や図形が施されていたとしても、有天筒状部材３０の外側から確実に収容器２０に施された文字や図形を目視することができる。
【００５９】
さらに、有天筒状部材３０と底栓部材４０とで色を変えれば、収容器２０とこれらとの色の違いによる新たなデザインとすることができるため、加飾性を向上させることができる。
【００６０】
また、高透明性合成樹脂に光反射粉（図示せず）を分散させれば、光反射粉（図示せず）に光が反射して輝き、高級感を醸し出すことができる。このような光反射粉（図示せず）としては、光反射粉（図示せず）のコアとなるマイカ（雲母）の表面に金属または金属酸化物が被覆された光反射粉（図示せず）から構成することが好ましい。
【００６１】
また本発明において収容器の材料（材質）はとくに制限はなく、いかなる材料も使用できるが通常はガラス等の無機材料、樹脂、ゴム等の有機材料が好ましく用いられる。樹脂材料としては例えば前記のカバー材料と同じ材料やポリオレフィン系樹脂を用いることができる。本発明において収容器の材料は透明であっても、不透明であってもよく、また有色であっても無色であっても良い。材料が無色の場合、これを着色して有色とすることにより、より収容器やこれとカバー容器とからなる装飾容器ユニットに審美性を向上させる
ことができる。
【００６２】
このような有天筒状部材３０と底栓部材４０とは、図３の要部を拡大した図４に示したように、有天筒状部材３０の内周面の下端部に設けられた凸部３８と、底栓部材４０の外周面の上端部に設けられた凹部４２とが嵌合することによって、収容器２０を強固に保持するようになっている。
【００６３】
取り外しの際には、有天筒状部材３０の開口部３４より上方に突出した収容器２０の口部２４を下方に向かって強く押圧すれば、簡単に取り外すことができる。なお、有天筒状部材３０に設けられた凸部３８と底栓部材４０に設けられた凹部４２は、それぞれ逆に、すなわち有天筒状部材３０に凹部（図示せず）を設け、底栓部材４０に凸部（図示せず）を設けても良いものである。また、より強固に有天筒状部材３０に底栓部材４０が嵌合するよう、これらの凹部、凸部とを複数設けることもできる。
【００６４】
さらに、有天筒状部材３０の内周が円形状であり、底栓部材４０が円形状である場合には、図示しないが有天筒状部材３０の内周面と底栓部材４０の外周面に、凹部と凸部とをそれぞれ形成し螺合可能とするようにしても良い。
【００６５】
また図５に示したように、有天筒状部材３０の下端部に設けられた水平溝部３９に底栓部材４０がスライド式に収容されるようにしても良いものであり、要は有天筒状部材３０と底栓部材４０が、収容器２０をしっかり保持することができるとともに、これらの取り外しが容易に行える構造で有れば、如何なる構造も選択が可能である。
【００６６】
このように、有天筒状部材３０と底栓部材４０とで、高さ方向を保持した収容器２０は、図６（ａ）に示した横断面図のように、有天筒状部材３０の内周面３３と、収容器２０の外周面２８とが接触しないよう、隙間が設けられている。この隙間によって、収容器２０と有天筒状部材３０とが密着してしまうことを防止しているため、収容器２０を有天筒状部材３０から取り外す際に、極めて簡単に取り外し作業を行うことができる。
【００６７】
また、図６（ｂ）に示したように、有天筒状部材３０の内周面３３を直線状とし、収容器２０の外周面２８と線接触するように構成すれば、収容器２０が有天筒状部材３０の内部で横方向にがたつくことを防止することができるとともに、有天筒状部材３０と収容器２０とは密着していないため、これらの取り外し作業は極めて良好に行うことができる。
【００６８】
さらに、図６（ｃ）に示したように、収容器２０の横断面形状が円形状である場合には、有天筒状部材３０の内周面３３の一部を、収容器２０の横断面形状の直径と略同幅に設定すれば、収容器２０が有天筒状部材３０の内部で横方向にがたつくことを防止することができる。
【００６９】
このような装飾容器ユニット１０ａは、収容器２０に有天筒状部材３０を装着した際、収容器２０の口部２４が有天筒状部材３０の開口部３４より突出するようになっているが、口部２４と開口部３４とは、図７（ａ）に示したように口部２４の形状に対して、若干大きく同形状に開口部３４を設けることや、図７（ｂ）に示したように口部２４の形状に対して、異形状に開口部３４を設定することも可能である。本実施例では、口部２４にキャップを装着してはいないが、例えばキャップ（図示せず）を付けたままでも、有天筒状部材３０内に収容器２０を装着できるよう開口部３４の大きさを設定することも可能であり、開口部３４の大きさは適宜設定することが好ましい。
【００７０】
また収容器２０の収容部２２の高さＬ１が、有天筒状部材３０の天面３１から底栓部材４０の底面４４までの高さＬ２と合致していない場合には、図８に示したように、収容器
２０の底部２６と底栓部材４０の底面４４との間に、底上げ部材５０を装着することにより、有天筒状部材３０と底栓部材４０とで収容器２０を保持することができる。
【００７１】
なお、底上げ部材５０の材料（材質）としては、アイオノマー樹脂、アクリル樹脂、ポリエステル樹脂、スチレン系樹脂（スチレン・アクリロニトリル共重合体樹脂、スチレン・メチルメタクリレート共重合体樹脂等）を用いることができるが、特に耐衝撃性に優れ、変形可能な材料であるアイオノマー樹脂を用いることが好ましい。
【００７２】
また容器ユニット１０ａは、図９に示したように、有天筒状部材３０の外観形状を複雑な形状として、デザイン性を向上させることもできる。このようにすれば、たとえ収容器２０の形状が単純な筒形状であっても、複雑な外観形状の有天筒状部材３０でカバーすることにより、多種多様な装飾容器ユニット１０ａとすることができ、デザインの自由度を極めて向上させることができる。
【００７３】
さらに図１０に示したように、有天筒状部材３０の外周面に装飾凹凸部３７を設けても良い。装飾凹凸部３７は、例えば有天筒状部材３０を成形する際に用いられる金型に予め装飾加工を施すことにより、成形時に有天筒状部材３０の外周面や内周面に装飾凹凸部３７が形成されるようにすることができる。このような装飾凹凸部３７は、部分的に設けることも可能であり、収容器２０に文字や図形が付されている場合には、有天筒状部材３０の外周面のその部分に相当する箇所に装飾凹凸部３７を設けないようにすれば、収容器２０に付された文字や図形を確実に目視することができる。
【００７４】
これによって、装飾容器ユニット１０ａを更なるデザインとすることができ従来にないデザインや高級感を醸し出すことができる。
図１１または図１２は本発明の第２の実施例であるカバー容器およびのカバー容器を用いて収容器をカバーした装飾容器ユニット１０ｂであり、図１１はカバー容器を収容器にカバーする状況を示した分解斜視図、図１２はカバー容器を収容器にカバーした状況を示した斜視図である。
【００７５】
図１１または図１２に示した装飾容器ユニット１０ｂは、基本的には、図１に示した実施例の装飾容器ユニット１０ａと同じ構成であるので、同じ構成部材には、同じ参照番号を付してその詳細な説明を省略する。
【００７６】
図１１に示した装飾容器ユニット１０ｂは、カバー容器が第１横嵌合部材６０と第２横嵌合部材７０から構成されている。
第１横嵌合部材６０と第２横嵌合部材７０は、収容器２０の口部２４を中心として、略水平方向に二分割された形状であり、それぞれコ字状の縦断面形状を有している。そして、第１横嵌合部材６０と第２横嵌合部材７０は、図１２に示したようにその上端と下端に水平方向に張り出したフランジ部６２、７２で、収容器２０の口部２４と底部２６とを保持することができるようになっている。
【００７７】
なお第１横嵌合部材６０と第２横嵌合部材７０とは、それぞれの嵌合面に設けられた凹部６４と凸部７４とが嵌合するように構成されており、これによって収容器２０を確実に保持することができる。
【００７８】
また、第１横嵌合部材６０と第２横嵌合部材７０とを別々の色から成る高透明性合成樹脂で製造すれば、加飾性に優れた今までにないデザインとすることができる。
図１３または図１４は本発明の第３の実施例であるカバー容器およびのカバー容器を用いて収容器をカバーした装飾容器ユニット１０ｃであり、図１３はカバー容器を収容器にカバーする状況を示した分解斜視図、図１４はカバー容器を収容器にカバーした状況を示
した斜視図である。
【００７９】
図１３または図１４に示した装飾容器ユニット１０ｃは、基本的には、図１に示した実施例の装飾容器ユニット１０ａと同じ構成であるので、同じ構成部材には、同じ参照番号を付してその詳細な説明を省略する。
【００８０】
図１３に示した装飾容器ユニット１０ｃは、カバー容器が第１縦嵌合部材８０と第２縦嵌合部材９０から構成されている。
第１縦嵌合部材８０と第２縦嵌合部材９０とは、収容器２０を中心として縦方向に二分割した形状を有し、第１縦嵌合部材８０は天面８２に口部２４を突出可能とする開口部８４を有した、有天筒状部材３０と似た形状である。一方、第２縦嵌合部材９０は、収容器２０の底部２６を保持する底面９２を有する形状である。
【００８１】
このような第１縦嵌合部材８０と第２縦嵌合部材９０とは、図１４に示したように互いの嵌合面に形成された凸部８６と凹部９４とが嵌合することによって、収容器２０を確実に保持することができるようになっている。
【００８２】
また、第１縦嵌合部材８０と第２縦嵌合部材９０の横断面形状が円形状である場合には、第１縦嵌合部材８０の内周面と第２縦嵌合部材９０の外周面とに螺子形状を形成し、螺合可能とするようにしても良い。
【００８３】
また、第１縦嵌合部材８０と第２縦嵌合部材９０とを別々の色から成る高透明性合成樹脂で製造すれば、加飾性に優れた今までにないデザインとすることができる。
以上、本発明の好ましい実施の態様を説明してきたが、本発明はこれに限定されることはなく、例えば、第２の実施例と第３の実施例とを組み合わせた、三部材からなるカバー容器としたりすることもできるなど、本発明の目的を逸脱しない範囲での種々の変更が可能なものである。
【図面の簡単な説明】
【００８４】
【図１】図１は、本発明の装飾容器ユニットの第１の実施例によるカバー容器を用いて収容器をカバーする状況を示した分解斜視図である。
【図２】図２は、本発明の装飾容器ユニットの第１の実施例によるカバー容器を用いて収容器をカバーした状況を示した斜視図である。
【図３】図３は、図２に示した装飾容器ユニットの縦断面図である。
【図４】図４は、本発明の第１の実施例によるカバー容器の有天筒状部材と底栓部材との嵌合状況を説明する要部拡大図である。
【図５】図５は、本発明の第１の実施例によるカバー容器の有天筒状部材と底栓部材との他の嵌合状況を説明する要部拡大図である。
【図６】図６（ａ）から図６（ｃ）は、本発明の第１の実施例によるカバー容器を収容器にカバーした状況の横断面図である。
【図７】図７（ａ）または図７（ｂ）は、本発明の第１の実施例によるカバー容器を収容器にカバーした状況における口部と開口部の状況を説明する上面図である。
【図８】図８は本発明の装飾容器ユニットの第１の実施例による収容器の下部に底上げ部材を設置した状況を示した縦断面図である。
【図９】図９は本発明の装飾容器ユニットの第１の実施例による有天筒状部材の外周面にデザインを施した状況を示した斜視図である。
【図１０】図１０は本発明の装飾容器ユニットの第１の実施例による有天筒状部材、底栓部材に装飾凹凸部を形成した状況を示した斜視図である。
【図１１】図１１は、本発明の装飾容器ユニットの第２の実施例によるカバー容器を用いて収容器をカバーする状況を示した分解斜視図である。
【図１２】図１２は、本発明の装飾容器ユニットの第２の実施例によるカバー容器を用いて収容器をカバーした状況を示した斜視図である。
【図１３】図１３は、本発明の装飾容器ユニットの第３の実施例によるカバー容器を用いて収容器をカバーする状況を示した分解斜視図である。
【図１４】図１４は、本発明の装飾容器ユニットの第３の実施例によるカバー容器を用いて収容器をカバーした状況を示した斜視図である。
【図１５】図１５は、従来の装飾容器ユニットの収容器とカバー容器とを分解した状態図である。
【図１６】図１６は、従来の装飾容器ユニットの収容器にカバー容器装着した状態を示す状態図である。
【符号の説明】
【００８５】
１０ａ・・装飾容器ユニット
１０ｂ・・装飾容器ユニット
１０ｃ・・装飾容器ユニット
２０・・・収容器
２２・・・収容部
２４・・・口部
２６・・・底部
２７・・・フランジ部
２８・・・外周面
３０・・・有天筒状部材
３１・・・天面
３３・・・内周面
３４・・・開口部
３７・・・装飾凹凸部
３８・・・凸部
３９・・・水平溝部
４０・・・底栓部材
４２・・・凹部
４４・・・底面
５０・・・底上げ部材
６０・・・第１横嵌合部材
６２・・・フランジ部
６４・・・凹部
７０・・・第２横嵌合部材
７４・・・凸部
８０・・・第１縦嵌合部材
８２・・・天面
８４・・・開口部
８６・・・凸部
９０・・・第２縦嵌合部材
９２・・・底面
９４・・・凹部
１００・・・装飾容器ユニット
１１０・・・収容器
１１２・・・胴部
１１４・・・口部
１２０・・・カバー容器
１２２・・・周壁
１２４・・・空気孔
１２６・・・底壁
１３０・・・蓋
【図１】
2007302316.tif 000003
【図２】
2007302316.tif 000004
【図３】
2007302316.tif 000005
【図４】
2007302316.tif 000006
【図５】
2007302316.tif 000007
【図６】
2007302316.tif 000008
【図７】
2007302316.tif 000009
【図８】
2007302316.tif 000010
【図９】
2007302316.tif 000011
【図１０】
2007302316.tif 000012
【図１１】
2007302316.tif 000013
【図１２】
2007302316.tif 000014
【図１３】
2007302316.tif 000015
【図１４】
2007302316.tif 000016
【図１５】
2007302316.tif 000017
【図１６】
2007302316.tif 000018